(57)【要約】【課題】コインを用いることなく収容物を排出する収容物排出装置、およびその収容物排出装置による収容物の排出を許可する排出許可システムを提供する。【解決手段】収容物排出装置１０は、操作部１０２と、収容物１１を収納する収納ケース１３と、収納ケース１３に収納された収容物１１を排出する排出部１０４と、排出部１０４による収容物１１の排出を禁止または許可する排出制御部１０１と、携帯端末３０によって読取可能なコード２０ａを表示する表示部３０３とを備え、排出制御部１０１は、表示部３０３に表示されたコード２０ａに対応する解除情報が操作部３０２から入力された場合に収容物１１の排出を許可する。【選択図】図１
2020000613.tif 000002
【特許請求の範囲】
【請求項１】
収容物を排出する収容物排出装置であって、
操作部と、
前記収容物を収納する収納部と、
前記収納部に収納された前記収容物を排出する排出部と、
前記排出部による前記収容物の排出を禁止または許可する排出制御部と、
携帯端末によって読取可能なコードを表示する表示部とを備え、
前記排出制御部は、前記表示部に表示された前記コードに対応する解除情報が前記操作部から入力された場合に前記収容物の排出を許可する、収容物排出装置。
【請求項２】
前記表示部は、表示する前記コードを変更する、請求項１に記載の収容物排出装置。
【請求項３】
前記排出制御部は、前記解除情報が有効期間の経過後に前記操作部から入力された場合、前記収容物の排出を許可しない、請求項１または請求項２に記載の収容物排出装置。
【請求項４】
携帯端末を利用して収容物排出装置による収容物の排出を許可する排出許可システムであって、
前記収容物排出装置と、
前記携帯端末と、
前記携帯端末と通信可能なサーバとを備え、
前記収容物排出装置は、
操作部と、
前記収容物を収納する収納部と、
前記収納部に収納された前記収容物を排出する排出部と、
前記排出部による前記収容物の排出を禁止または許可する排出制御部と、
前記携帯端末によって読取可能なコードを表示する表示部とを含み、
前記排出制御部は、前記表示部に表示された前記コードに対応する解除情報が前記操作部から入力された場合に前記収容物の排出を許可し、
前記携帯端末は、
前記表示部に表示された前記コードを読み取ることによって当該コードに含まれる含有情報を取得し、
取得した前記含有情報を前記サーバに送信し、
前記サーバは、前記携帯端末から受信した前記含有情報を記憶する、排出許可システム。
【請求項５】
前記含有情報は、前記収容物排出装置が設置された店舗を特定可能な情報を含む、請求項４に記載の排出許可システム。
【請求項６】
前記表示部は、表示する前記コードを変更する、請求項４または請求項５に記載の排出許可システム。
【請求項７】
前記排出制御部は、前記解除情報が有効期間の経過後に前記操作部から入力された場合、前記収容物の排出を許可しない、請求項４〜請求項６のいずれか１項に記載の排出許可システム。
【発明の詳細な説明】
【技術分野】
【０００１】
本発明は、収容物を排出する収容物排出装置、および携帯端末を利用して収容物排出装置による収容物の排出を許可する排出許可システムに関する。
【背景技術】
【０００２】
従来、収容物排出装置として、玩具などを包装したカプセル型の収容物を収納するとともに、ユーザにより回転可能な回転体の回転を禁止することにより収容物を排出不可能にする一方で、回転体の回転を許容することにより収容物を排出可能にするものが知られている。
【０００３】
たとえば、特許文献１（特開２０１７−４５３８３号公報）には、正規のコインが保持されているときに回転体が回転可能となるコイン選別装置を備え、当該コイン選別装置の回転体が回転することにより収容物を排出する収容物排出装置が開示されている。
【先行技術文献】
【特許文献】
【０００４】
【特許文献１】特開２０１７−４５３８３号公報
【発明の概要】
【発明が解決しようとする課題】
【０００５】
特許文献１に開示された収容物排出装置によれば、コイン選別装置の構成および設計を容易にすることが可能であるが、収容物を排出するための媒体としてコインが用いられるため、偽物のコインを用いた不正行為を防止するための工夫が必要になる。また、コインを貯留する箇所も確保しなければならないため、収容物排出装置を小型化させることも難しくなる。さらに、近年、キャッシュレス化が進む現状に鑑みれば、コインを用いることなく収容物を排出する収容物排出装置の需要が高まりつつある。
【０００６】
本発明は、上記の課題を解決するためになされたものであり、コインを用いることなく収容物を排出する収容物排出装置、およびその収容物排出装置による収容物の排出を許可する排出許可システムを提供することを目的とする。
【課題を解決するための手段】
【０００７】
本開示に係る収容物排出装置は、収容物を排出する収容物排出装置であって、操作部と、収容物を収納する収納部と、収納部に収納された収容物を排出する排出部と、排出部による収容物の排出を禁止または許可する排出制御部と、携帯端末によって読取可能なコードを表示する表示部とを備え、排出制御部は、表示部に表示されたコードに対応する解除情報が操作部から入力された場合に収容物の排出を許可する。
【０００８】
好ましくは、上述した収容物排出装置において、表示部は、表示するコードを変更する。
【０００９】
好ましくは、上述した収容物排出装置において、排出制御部は、解除情報が有効期間の経過後に操作部から入力された場合、収容物の排出を許可しない。
【００１０】
本開示に係る排出許可システムは、携帯端末を利用して収容物排出装置による収容物の排出を許可する排出許可システムであって、収容物排出装置と、携帯端末と、携帯端末と通信可能なサーバとを備え、収容物排出装置は、操作部と、収容物を収納する収納部と、収納部に収納された収容物を排出する排出部と、排出部による収容物の排出を禁止または許可する排出制御部と、携帯端末によって読取可能なコードを表示する表示部とを含み、排出制御部は、表示部に表示されたコードに対応する解除情報が操作部から入力された場合に収容物の排出を許可し、携帯端末は、表示部に表示されたコードを読み取ることによって当該コードに含まれる含有情報を取得し、取得した含有情報をサーバに送信し、サーバは、携帯端末から受信した含有情報を記憶する。
【００１１】
好ましくは、上述した排出許可システムにおいて、含有情報は、収容物排出装置が設置された店舗を特定可能な情報を含む。
【００１２】
好ましくは、上述した排出許可システムにおいて、表示部は、表示するコードを変更する。
【００１３】
好ましくは、上述した排出許可システムにおいて、排出制御部は、解除情報が有効期間の経過後に操作部から入力された場合、収容物の排出を許可しない。
【発明の効果】
【００１４】
本発明によれば、収容物排出装置は、携帯端末を利用することによって、コインを用いることなく収容物を排出することができる。
【図面の簡単な説明】
【００１５】
【図１】本実施の形態に係る収容物排出装置および排出許可システムの適用例を説明するための模式図である。
【図２】本実施の形態に係る収容物排出装置の構成を示す模式図である。
【図３】本実施の形態に係る収容物排出装置および排出許可システムの機能を説明するための模式図である。
【図４】本実施の形態に係る排出許可システムにおいて行われる処理を説明するためのフローチャートである。
【図５】本実施の形態に係る排出許可システムに含まれるサーバの記憶情報を説明するための模式図である。
【発明を実施するための形態】
【００１６】
本実施の形態について、図面を参照しながら説明する。本実施の形態においては、収容物排出装置の１つの例示的形態として、玩具などを包装したカプセル型の収容物を排出するカプセル排出機について説明する。なお、収容物排出装置は、カプセル型の収容物を排出するカプセル排出機に限らず、収容物としてキャラクタなどが表されたカードを排出するカード排出機であってもよく、その他、収容物を排出する装置であればいずれの装置であってもよい。また、本実施の形態に係る収容物排出装置は、集客狙いで店舗に設置させるものであり、無料でカプセル型の収容物を排出する販促用のカプセル排出機である。
【００１７】
＜適用例＞
図１は、本実施の形態に係る収容物排出装置および排出許可システムの適用例を説明するための模式図である。図１に示されるように、排出許可システム１は、携帯端末３０を利用して収容物排出装置１０による収容物１１の排出を許可するシステムであって、収容物排出装置１０と、携帯端末３０と、当該携帯端末３０と通信可能なサーバ５０とを備える。
【００１８】
［収容物排出装置１０の構成］
図２は、本実施の形態に係る収容物排出装置１０の構成を示す模式図である。図２に示されるように、収容物排出装置１０は、箱形の筐体１２を備える。筐体１２の上方には、複数の収容物１１を収納する収納部の一例である収納ケース１３が設けられている。収容物排出装置１０の管理者は、収納ケース１３の蓋１４を開放することで、収納ケース１３内に外部から収容物１１を収納することができる。
【００１９】
筐体１２の前面側の中央部分には、回転ハンドル１５が設けられている。さらに、筐体１２の前面側において、回転ハンドル１５の下方には、取出口１７が形成されている。回転ハンドル１５の回転が許可されている場合、収容物排出装置１０のユーザは、回転ハンドル１５を回転させることで、収納ケース１３に収納された収容物１１を取出口１７から排出させることができる。一方、回転ハンドル１５の回転が禁止されている場合、ユーザは、回転ハンドル１５を回転させることができないため、収容物１１を取出口１７から排出させることができない。
【００２０】
筐体１２の前面側において、回転ハンドル１５の横には、収容物１１の排出を収容物排出装置１０に許可させるための解除装置２０が設けられている。解除装置２０は、ユーザが所定の情報を入力するためのキー部２１と、各種の情報を表示するディスプレイ２２とを含む。キー部２１は、０〜９の数字ごとに押圧可能なテンキー２１ａと、テンキー２１ａの操作によって入力された数字を取り消すための取消キー２１ｂと、テンキー２１ａの操作によって入力された数字を確定するための確定キー２１ｃとを含む。テンキー２１ａの操作によって入力された数字は、ディスプレイ２２に表示される。
【００２１】
収容物排出装置１０においては、回転ハンドル１５の回転を収容物排出装置１０に許可させるための解除情報、すなわち、収容物１１の排出を収容物排出装置１０に許可させるための解除情報が予め設定されている。ユーザは、テンキー２１ａの操作によって適正な解除情報を入力することで、回転ハンドル１５の回転を収容物排出装置１０に許可させることができる。
【００２２】
本実施の形態においては、解除情報の一例として、４桁の数字を例示するが、解除情報は、４桁に限らず、１桁〜３桁、または５桁以上の数字であってもよい。また、解除情報は、数字に限らず、アルファベット、またはアットマーク（＠）およびシャープ（＃）などの記号によって構成されてもよい。この場合、キー部２１は、数字に限らずアルファベットまたは記号の入力を可能にしてもよい。
【００２３】
解除情報は、所定期間ごとに更新され、コード化されてディスプレイ２２に表示される。たとえば、解除情報は、５秒間隔で更新され、更新のたびにコード化されてディスプレイ２２に表示される。なお、解除情報の更新間隔は、収容物排出装置１０の管理者によって任意に設定可能であり、解除情報は必ずしも更新されなくてもよい。また、解除情報の更新間隔がランダムに変化するものであってもよい。
【００２４】
本実施の形態においては、解除情報がコード化されることで、解除情報がＱＲコード（登録商標）に格納され、当該ＱＲコード（登録商標）がディスプレイ２２に表示される。なお、解除情報は、ＱＲコード（登録商標）などの二次元コードに限らず、バーコードなどの一次元コードに格納されてもよいし、ＡＲ（Augmented Reality）などの他の技術によってコード化されてもよい。但し、コードから解除情報を解読し難くする場合には、一次元コードよりも二次元コードを採用する方が望ましい。
【００２５】
［収容物排出装置１０による排出許可］
図１に戻り、排出許可システム１において、ユーザの携帯端末３０には、収容物排出装置１０を利用するためのアプリケーションプログラム（以下、これを「アプリ」と略す。）が予めダウンロードされている。このアプリは、収容物排出装置１０の製造業者によって提供されてもよいし、収容物排出装置１０が設置された店舗の運営会社によって提供されてもよい。なお、本実施の形態においては、携帯端末３０の一例として、スマートフォンを例示するが、携帯端末３０は、コード２０ａを読み取ることができるものであれば、タブレットＰＣ（personal computer）など、その他の端末であってもよい。
【００２６】
ユーザは、携帯端末３０にダウンロードされたアプリを起動することで、図示しないログイン画面を携帯端末３０の液晶ディスプレイ３１に表示させることができる。ユーザは、ログイン画面において、予め取得していたユーザＩＤおよびパスワードを入力することでログインすることができる。
【００２７】
図１（ａ）に示されるように、ログイン後、携帯端末３０の液晶ディスプレイ３１には、解除装置２０のディスプレイ２２に表示されたコード２０ａを読み取るためのコード認証画面３１ａが表示される。上述したように、コード２０ａには、回転ハンドル１５の回転を収容物排出装置１０に許可させるための解除情報が格納されている。
【００２８】
図１（ｂ）に示されるように、携帯端末３０が備える図示しないカメラによってコード２０ａが読み取られると、液晶ディスプレイ３１では、仮想のスロットマシンによる仮想ゲームのアニメーション動画が表示され、仮想のスロットマシンのリールが停止すると４桁の数字画像３１ｂが表示される。この４桁の数字画像３１ｂは、解除情報に対応している。
【００２９】
図１（ｃ）に示されるように、数字画像３１ｂとして表れた４桁の数字（解除情報）を、解除装置２０のキー部２１によって有効期間（たとえば、コードの表示から５分間）内にユーザが入力すると、図１（ｄ）に示されるように、収容物排出装置１０において回転ハンドル１５の回転が許可される。これにより、ユーザは、回転ハンドル１５を回転することで、収容物１１を排出させることができる。なお、有効期間は、収容物排出装置１０の管理者によって任意に設定可能であり、必ずしも設定されなくてもよい。
【００３０】
このように、収容物排出装置１０および排出許可システム１を利用することで、ユーザは、携帯端末３０によってコード２０ａを読み取ることで解除情報を取得することができる。そして、ユーザは、取得した解除情報を解除装置２０に入力することで、収容物１１を排出させることができる。これにより、従来のようにコインを用いて収容物を排出するものに比べて、セキュリティを確保し易く、収容物排出装置１０を小型化させ易くなる。また、収容物排出装置１０は、キャッシュレス化にも対応することができる。
【００３１】
［サーバ５０による情報取得］
収容物排出装置１０が設置された店舗の運営会社は、収容物排出装置１０および排出許可システム１を利用することで、顧客であるユーザの情報および店舗の情報などを取得することも可能である。具体的には、運営会社は、サーバ５０と携帯端末３０との間の通信によって、サーバ５０にユーザの情報および店舗の情報を蓄積して記憶させることができる。
【００３２】
たとえば、ユーザが携帯端末３０でアプリを起動後にログインする際、ユーザによって入力されたユーザＩＤ（identification）およびパスワードを特定可能な情報がサーバ５０に送信される。サーバ５０は、アプリの登録時に予め取得していたユーザＩＤおよびパスワードと、ログイン時に携帯端末３０から送信されたユーザＩＤおよびパスワードとを照合し、両者が一致する場合にユーザの認証が適正に行われたと判断してログインを許可する。
【００３３】
一方、サーバ５０は、ユーザＩＤおよびパスワードに対応付けてユーザを特定可能なユーザ情報を予め記憶している。ユーザ情報には、ユーザの氏名、性別、年齢、およびメールアドレスなどの情報が含まれる。なお、ユーザ情報には、ユーザの住所、電話番号、家族構成、趣味、および興味など、その他の情報が含まれてもよい。
【００３４】
サーバ５０は、ログイン時に携帯端末３０からユーザＩＤおよびパスワードを取得することで、収容物排出装置１０を利用するユーザ、言い換えると、収容物排出装置１０が設置された店舗を利用するユーザを特定することができる。
【００３５】
コード２０ａには、解除情報に加えて、含有情報が格納されている。具体的には、コード２０ａには、含有情報として、収容物排出装置１０が設置された店舗を特定可能な店舗ＩＤ（identification）、および収容物排出装置１０を特定するための固有の装置ＩＤが含まれる。装置ＩＤは、たとえば、収容物排出装置１０が有する装置固有の製造番号などであってもよい。携帯端末３０は、コード２０ａを読み取ったときに、当該コード２０ａに格納された店舗ＩＤおよび装置ＩＤをサーバ５０に送信する。
【００３６】
一方、サーバ５０は、店舗ＩＤに対応付けて店舗を特定可能な店舗情報を予め記憶している。店舗情報には、店舗名、店舗の設置場所、および特定期間（たとえば、１ヵ月間）の店舗の売上などの情報が含まれる。なお、店舗情報には、店舗の代表者および店舗の開店時間など、その他の情報が含まれてもよい。
【００３７】
さらに、サーバ５０は、装置ＩＤに対応付けて収容物排出装置１０を特定可能な装置情報を予め記憶している。装置情報には、収容物排出装置１０の機種、収容物排出装置１０の設置日、および図１（ｂ）に示された仮想のスロットマシンによる仮想ゲームにおける当選確率などの情報が含まれる。なお、装置情報には、収容物排出装置１０に収納される収容物１１の内容など、その他の情報が含まれてもよい。
【００３８】
サーバ５０は、携帯端末３０がコード２０ａを読み取ったときに当該携帯端末３０から店舗ＩＤおよび装置ＩＤを取得することで、ユーザによって利用された店舗、およびユーザによって利用された収容物排出装置１０を特定することができる。
【００３９】
このように、収容物排出装置１０および排出許可システム１を利用することで、運営会社は、ユーザの情報、ユーザによって利用された店舗の情報、およびユーザによって利用された収容物排出装置１０の情報などを取得して、サーバ５０に履歴として記憶させることができる。運営会社は、取得したこれらの情報をマーケティングなどに活用することができる。たとえば、運営会社は、どのようなユーザがどの店舗のどの収容物排出装置１０を利用したのかを、サーバ５０に蓄積されたデータを用いて分析することで、データに基づき、集客率の向上を図ることができる。
【００４０】
＜収容物排出装置１０および排出許可システム１の機能＞
図３は、本実施の形態に係る収容物排出装置１０および排出許可システム１の機能を説明するための模式図である。図３に示すように、排出許可システム１は、収容物排出装置１０と、携帯端末３０と、サーバ５０とを備える。
【００４１】
［収容物排出装置１０の機能］
収容物排出装置１０は、主な機能部として、排出制御部１０１と、操作部１０２と、表示部１０３と、排出部１０４と、記憶部１０６と、コード作成部１０７とを備え、これらの各部が通信ライン１０９を介した通信によって協働する。
【００４２】
排出制御部１０１は、図示しないＣＰＵ（central processing unit）が有する機能部であり、排出部１０４による収容物１１の排出を禁止または許可する。具体的には、排出制御部１０１は、収容物１１の排出を禁止する場合には回転ハンドル１５の回転を禁止し、収容物１１の排出を許可する場合には回転ハンドル１５の回転を許可する。
【００４３】
操作部１０２は、解除装置２０のキー部２１が有する機能部であり、ユーザによる解除情報などの入力を受け付ける。
【００４４】
表示部１０３は、解除装置２０のディスプレイ２２が有する機能部であり、操作部１０２から入力された解除情報を表示したり、コード２０ａを表示したりする。
【００４５】
排出部１０４は、図示しない排出機構が有する機能部であり、回転ハンドル１５が所定角度以上に亘って回転したときに、収納ケース１３に収納された収容物１１を取出口１７から排出させる。
【００４６】
記憶部１０６は、図示しないＲＯＭ（read only memory）またはＲＡＭ（random access memory）などのメモリが有する機能部であり、店舗ＩＤ、装置ＩＤ、および解除情報など、各種の情報を記憶する。
【００４７】
コード作成部１０７は、図示しないＣＰＵが有する機能部であり、記憶部１０６に記憶された店舗ＩＤ、装置ＩＤ、および解除情報に基づき、予め設定された所定時間ごとにコード２０ａを作成する。コード作成部１０７によって作成されたコード２０ａは、予め設定された所定時間ごとに表示部１０３によって表示される。
【００４８】
［携帯端末３０の機能］
携帯端末３０は、主な機能部として、制御部３０１と、操作部３０２と、表示部３０３と、読取部３０４と、通信部３０５と、記憶部３０６とを備え、これらの各部が通信ライン３０９を介した通信によって協働する。
【００４９】
制御部３０１は、図示しないＣＰＵが有する機能部であり、各機能部に働きかけることで、携帯端末３０が有する機能を発揮可能にする。
【００５０】
操作部３０２は、液晶ディスプレイ３１の上面に設けられた図示しないタッチパネルが有する機能部であり、ユーザによるユーザＩＤおよびパスワードなどの入力を受け付ける。
【００５１】
読取部３０４は、図示しないカメラが有する機能部であり、収容物排出装置１０の表示部１０３によって表示されたコード２０ａを読み取る。
【００５２】
通信部３０５は、図示しないアンテナが有する機能部であり、サーバ５０のアンテナとの間で通信を可能とする。
【００５３】
記憶部３０６は、図示しないＲＯＭまたはＲＡＭなどのメモリが有する機能部であり、操作部３０２から入力されたユーザＩＤおよびパスワード、および読取部３０４によって読み取られたコード２０ａに格納された店舗ＩＤ、装置ＩＤ、および解除情報など、各種の情報を記憶する。これらの情報は、通信部３０５によってサーバ５０に送信される。
【００５４】
［サーバ５０の機能］
サーバ５０は、主な機能部として、制御部５０１と、通信部５０５と、記憶部５０６とを備え、これらの各部が通信ライン５０９を介した通信によって協働する。
【００５５】
制御部５０１は、図示しないＣＰＵが有する機能部であり、各機能部に働きかけることで、サーバ５０が有する機能を発揮可能にする。
【００５６】
通信部５０５は、図示しないアンテナが有する機能部であり、携帯端末３０のアンテナとの間で通信を可能とする。
【００５７】
記憶部５０６は、図示しないＲＯＭまたはＲＡＭなどのメモリが有する機能部であり、通信部５０５が携帯端末３０から受信したユーザＩＤ、パスワード、店舗ＩＤ、装置ＩＤ、および解除情報、さらに、ユーザ情報、店舗情報、および装置情報など、各種の情報を記憶する。
【００５８】
＜排出許可システムにおいて行われる処理＞
図４は、本実施の形態に係る排出許可システム１において行われる処理を説明するためのフローチャートである。図４に示される処理ステップ（以下、これを「Ｓ」と略す。）は、図３で示された各機能部によって実現される。
【００５９】
図４に示されるように、収容物排出装置１０は、所定期間（たとえば、５秒間）ごとに解除情報を更新する（Ｓ１１１）。なお、所定期間は、収容物排出装置１０の管理者によって任意に設定可能である。収容物排出装置１０は、解除情報を決定すると（Ｓ１１２）、決定した解除情報をコード化することでコード２０ａを作成する（Ｓ１１３）。また、収容物排出装置１０は、決定した解除情報を記憶する（Ｓ１１４）。収容物排出装置１０は、作成したコード２０ａをディスプレイ２２に表示する（Ｓ１１５）。
【００６０】
一方、携帯端末３０は、アプリを起動後、ログイン画面でユーザＩＤおよびパスワードが入力されたか否かを判定する（Ｓ３１１）。携帯端末３０は、ユーザＩＤおよびパスワードが未だ入力されていない場合（Ｓ３１１でＮＯ）、Ｓ３１１の処理を繰り返す。携帯端末３０は、ユーザＩＤおよびパスワードが入力された場合（Ｓ３１１でＹＥＳ）、入力されたユーザＩＤおよびパスワードをサーバ５０に送信する（Ｓ３１２）。
【００６１】
一方、サーバ５０は、携帯端末３０から送信されたユーザＩＤおよびパスワードに基づき、ユーザを認証できたか否かを判定する（Ｓ５１１）。この処理において、サーバ５０は、予め記憶していた複数のユーザに対応するユーザＩＤおよびパスワードの中に、携帯端末３０から送信されたユーザＩＤおよびパスワードが存在するか否かを判定する。
【００６２】
サーバ５０は、予め記憶していた複数のユーザに対応するユーザＩＤおよびパスワードの中に、携帯端末３０から送信されたユーザＩＤおよびパスワードが存在しないためにユーザを認証できない場合（Ｓ５１１でＮＯ）、ログインを禁止するためのログイン禁止情報を携帯端末３０に送信し（Ｓ５１２）、本処理を終了する。
【００６３】
サーバ５０は、予め記憶していた複数のユーザに対応するユーザＩＤおよびパスワードの中に、携帯端末３０から送信されたユーザＩＤおよびパスワードが存在するためにユーザを認証できた場合（Ｓ５１１でＹＥＳ）、履歴としてユーザＩＤを記憶する（Ｓ５１３）。その後、サーバ５０は、ログインを許可するためのログイン許可情報を携帯端末３０に送信する（Ｓ５１４）。
【００６４】
一方、携帯端末３０は、サーバ５０から送信されたログイン禁止情報またはログイン許可情報に基づき、サーバ５０によってログインが許可されたか否かを判定する（Ｓ３１３）。
【００６５】
携帯端末３０は、サーバ５０によってログインが許可されなかった場合（Ｓ３１３でＮＯ）、ログインを禁止する（Ｓ３１４）。この場合、たとえば、携帯端末３０の液晶ディスプレイ３１に「ユーザＩＤまたはパスワードが間違っています。」などの警告を示す画面が表示される。
【００６６】
携帯端末３０は、サーバ５０によってログインが許可された場合（Ｓ３１３でＹＥＳ）、ログインを許可する（Ｓ３１５）。この場合、たとえば、図１（ａ）に示されるように、携帯端末３０の液晶ディスプレイ３１にコード認証画面３１ａが表示される。
【００６７】
携帯端末３０は、コード認証画面３１ａにおいて、収容物排出装置１０のディスプレイ２２に表示されたコード２０ａを読み取ったか否かを判定する（Ｓ３１６）。携帯端末３０は、コード２０ａを読み取っていない場合（Ｓ３１６でＮＯ）、Ｓ３１６の処理を繰り返す。携帯端末３０は、コード２０ａを読み取った場合（Ｓ３１６でＹＥＳ）、読み取ったコード２０ａに格納された店舗ＩＤ、装置ＩＤ、および解除情報を取得し（Ｓ３１７）、これらをサーバ５０に送信する（Ｓ３１８）。
【００６８】
一方、サーバ５０は、携帯端末３０から送信された店舗ＩＤおよび装置ＩＤを履歴として記憶する（Ｓ５１５）。また、サーバ５０は、携帯端末３０から解除情報が送信されたことに基づき、図１（ｂ）に示された仮想のスロットマシンによる仮想ゲームの結果を抽選によって決定する（Ｓ５１６）。サーバ５０は、抽選結果を履歴として記憶する（Ｓ５１７）。サーバ５０は、抽選結果を示す抽選結果情報を携帯端末３０に送信し（Ｓ５１８）、本処理を終了する。
【００６９】
一方、携帯端末３０は、サーバ５０から送信された抽選結果情報に基づき、抽選結果が当りであるか否かを判定する（Ｓ３１９）。携帯端末３０は、抽選結果が当りでない場合（Ｓ３１９でＮＯ）、液晶ディスプレイ３１に「ハズレ」などの抽選結果が当りでないことを示す画面を表示する。携帯端末３０は、抽選結果が当りの場合（Ｓ３１９でＹＥＳ）、図１（ｂ）に示されるように、「あたり」などの抽選結果が当りであることを示すとともに、収容物排出装置１０のＳ１１２の処理で決定された解除情報として４桁の数字を示す画面を表示する（Ｓ３２１）。その後、携帯端末３０は、本処理を終了する。
【００７０】
一方、収容物排出装置１０は、解除装置２０から解除情報が入力されたか否かを判定する（Ｓ１１６）。収容物排出装置１０は、解除情報が未だ入力されていない場合（Ｓ１１６でＮＯ）、Ｓ１１６の処理を繰り返す。収容物排出装置１０は、解除情報が入力された場合（Ｓ１１６でＹＥＳ）、Ｓ１１２の処理で決定した解除情報と、解除装置２０から入力された解除情報とが一致するか否かを判定する（Ｓ１１７）。
【００７１】
収容物排出装置１０は、Ｓ１１２の処理で決定した解除情報と、解除装置２０から入力された解除情報とが一致しない場合（Ｓ１１７でＮＯ）、解除情報の入力をやり直すことを示す画面を表示する（Ｓ１１８）。
【００７２】
収容物排出装置１０は、Ｓ１１２の処理で決定した解除情報と、解除装置２０から入力された解除情報とが一致する場合（Ｓ１１７でＹＥＳ）、有効期間内であるか否かを判定する（Ｓ１１９）。たとえば、収容物排出装置１０は、Ｓ１１５の処理でコード２０ａを表示してから５分間を経過したか否かを判定する。なお、有効期間は、収容物排出装置１０の管理者によって任意に設定可能である。
【００７３】
収容物排出装置１０は、有効期間内でない場合（Ｓ１１９でＮＯ）、上述したＳ１１８の処理を実行する。収容物排出装置１０は、有効期間内である場合（Ｓ１１９でＹＥＳ）、回転ハンドル１５の回転を許可することで収容物１１の排出を許可する（Ｓ１２０）。収容物排出装置１０は、Ｓ１１８の処理またはＳ１２０の処理の後、Ｓ１１４の処理で記憶した解除情報を消去し（Ｓ１２１）、本処理を終了する。
【００７４】
＜サーバ５０の記憶情報＞
図４で示された排出許可システムの処理によって、サーバ５０には、ユーザの情報、ユーザによって利用された店舗の情報、およびユーザによって利用された収容物排出装置１０の情報などが履歴として記憶される。図５は、本実施の形態に係る排出許可システム１に含まれるサーバ５０の記憶情報を説明するための模式図である。
【００７５】
図５（Ａ）に示されるテーブルには、サーバ５０によって予め記憶されている情報が格納されている。具体的には、図５（Ａ）に示されるテーブルには、店舗を特定可能な店舗情報、ユーザを特定可能なユーザ情報、および収容物排出装置１０を特定可能な装置情報が格納されている。
【００７６】
たとえば、サーバ５０は、店舗情報として、店舗ＩＤに対応付けて、店舗名、店舗の設置場所、および特定期間（たとえば、１ヵ月間）の店舗の売上などの情報を記憶する。これらの情報は、管理者によって予めサーバ５０に記憶される。
【００７７】
サーバ５０は、ユーザ情報として、ユーザＩＤおよびパスワードに対応付けて、ユーザの氏名、性別、年齢、およびメールアドレスなどの情報を記憶する。これらの情報は、排出許可システム１によって提供されるサービスを受けるために、ユーザがアプリを起動して初期登録する際、サーバ５０に記憶される。
【００７８】
サーバ５０は、装置情報として、装置ＩＤに対応付けて、収容物排出装置１０の機種、収容物排出装置１０の設置日、および図１（ｂ）に示された仮想のスロットマシンによる仮想ゲームにおける当選確率などの情報を記憶する。これらの情報は、管理者によって予めサーバ５０に記憶される。なお、管理者は、仮想ゲームにおける当選確率を任意に設定することができる。
【００７９】
図５（Ｂ）に示されるテーブルには、収容物排出装置１０の利用履歴を示す情報が格納されている。具体的には、図５（Ｂ）に示されるテーブルには、収容物排出装置１０が利用された日付および時刻、利用された収容物排出装置１０が設置された店舗の店舗ＩＤ、収容物排出装置１０を利用したユーザのユーザＩＤ、利用された収容物排出装置１０の装置ＩＤ、および収容物排出装置１０の利用時における抽選結果などの情報を記憶する。これらの情報は、収容物排出装置１０がユーザによって利用される際、サーバ５０に記憶される。具体的には、ユーザＩＤは、図４のＳ５１３の処理で記憶され、店舗ＩＤおよび装置ＩＤは、図４のＳ５１５の処理で記憶され、抽選結果は、図４のＳ５１７の処理で記憶される。
【００８０】
このように、どのようなユーザがどの店舗のどの収容物排出装置１０をいつ利用したのかが、サーバ５０に蓄積して記憶される。
【００８１】
＜主な構成＞
次に、本実施の形態に係る収容物排出装置１０および排出許可システムの主な構成を説明する。
【００８２】
本実施の形態に係る収容物排出装置１０は、操作部１０２と、収容物１１を収納する収納ケース１３と、収納ケース１３に収納された収容物１１を排出する排出部１０４と、排出部１０４による収容物１１の排出を禁止または許可する排出制御部１０１と、携帯端末３０によって読取可能なコード２０ａを表示する表示部３０３とを備え、排出制御部１０１は、表示部３０３に表示されたコード２０ａに対応する解除情報が操作部３０２から入力された場合に収容物１１の排出を許可する。
【００８３】
このように、ユーザは、携帯端末３０を用いて、収容物排出装置１０によって表示されたコード２０ａを読み取ることにより、収容物１１の排出を収容物排出装置１０に許可させるための解除情報を取得することができ、当該解除情報を収容物排出装置１０に入力することで、収容物排出装置１０から収容物１１を排出させることができる。これにより、ユーザは、携帯端末３０を利用して、コインを用いることなく収容物排出装置１０から収容物を排出させることができる。このため、偽物のコインを用いた不正行為を防止するための工夫も必要なくなり、収容物排出装置１０を小型化させることも容易である。また、近年進んでいるキャッシュレス化にも対応することができる。
【００８４】
なお、携帯端末を用いて収容物排出装置から収容物を排出させる形態としては、携帯端末に表示されたコードを、収容物排出装置側が読み取ることも考えられるが、この場合、収容物排出装置とサーバとがオンラインで接続されなければならず、収容物排出装置の設計が複雑になる。これに対して、本実施の形態に係る収容物排出装置１０の場合、収容物排出装置１０は単にコードを表示するのみであり、それを携帯端末３０が読み取って解除情報を取得するような形態であるため、収容物排出装置１０の設計が複雑になることもない。
【００８５】
本実施の形態に係る収容物排出装置１０において、表示部１０３は、表示するコード２０ａを変更する。具体的には、収容物排出装置１０は、所定期間ごとに解除情報を更新して、解除情報を更新するたびに表示するコード２０ａを変更する。たとえば、解除情報が５秒間ごとに更新される場合、５分間で６０回の更新頻度で解除情報が切り替わる。つまり、この場合、収容物排出装置１０の記憶部１０６には、５分間で６０個の解除情報が記憶され、５秒間隔で記憶部１０６に記憶されている解除情報が更新される。
【００８６】
このように、所定期間ごとに解除情報が更新されるため、先に収容物排出装置１０を利用するユーザが取得した解除情報と、その後に続けて収容物排出装置１０を利用するユーザが取得した解除情報とを異ならせることができる。仮に、解除情報が更新されない場合、先に収容物排出装置１０を利用するユーザが携帯端末３０を利用して取得した解除情報を、後に収容物排出装置１０を利用するユーザが盗み見ることで、携帯端末３０を利用することなく収容物を排出させることができてしまうが、上述したように、所定期間ごとに解除情報を更新させることによって、このような不正行為を防ぐことができる。
【００８７】
本実施の形態に係る収容物排出装置１０において、排出制御部１０１は、解除情報が有効期間の経過後に操作部１０２から入力された場合、収容物１１の排出を許可しない。具体的には、収容物排出装置１０は、コード２０ａを決定したときに当該コード２０ａを記憶するとともに当該コード２０ａを表示し、コード２０ａを表示してから有効期間内に当該コード２０ａに対応する解除情報が入力されなければ、収容物１１を排出しない。さらに、収容物排出装置１０は、有効期間を超えると、記憶していた解除情報を消去する。
【００８８】
このように、ユーザが解除情報を入力するための有効期間が設定されているため、先に収容物排出装置１０を利用するユーザが携帯端末３０を利用して取得した解除情報を、後に収容物排出装置１０を利用するユーザが盗み見ることで、携帯端末３０を利用することなく収容物を排出させるといった不正行為を防ぐことができる。さらに、有効期間を超えると、記憶された解除情報が消去されるため、収容物排出装置１０の記憶容量が膨大になることを防ぐことができる。
【００８９】
本実施の形態においては、たとえば、解除情報の更新間隔が５秒間と短く設定することでセキュリティを確保する一方で、解除情報の記憶は更新間隔の５秒間よりも長い５分間に設定することで、ユーザが携帯端末３０でコード２０ａを読み取って解除情報を入力する時間を十分に確保することができる。
【００９０】
本実施の形態に係る排出許可システム１は、収容物排出装置１０と、携帯端末３０と、携帯端末３０と通信可能なサーバ５０とを備え、収容物排出装置１０は、操作部１０２と、収容物１１を収納する収納ケース１３と、収納ケース１３に収納された収容物１１を排出する排出部１０４と、排出部１０４による収容物１１の排出を禁止または許可する排出制御部１０１と、携帯端末３０によって読取可能なコード２０ａを表示する表示部３０３とを含み、排出制御部１０１は、表示部３０３に表示されたコード２０ａに対応する解除情報が操作部３０２から入力された場合に収容物１１の排出を許可し、携帯端末３０は、表示部３０３に表示されたコード２０ａを読み取ることによって当該コード２０ａに含まれる含有情報として店舗ＩＤおよび装置ＩＤを取得し、取得した含有情報をサーバ５０に送信し、サーバ５０は、携帯端末３０から受信した含有情報を記憶する。
【００９１】
このように、ユーザは、携帯端末３０を利用して、コインを用いることなく収容物排出装置１０から収容物１１を排出させることができる。このため、偽物のコインを用いた不正行為を防止するための工夫も必要なくなり、収容物排出装置１０を小型化させることも容易である。また、近年進んでいるキャッシュレス化にも対応することができる。さらに、サーバ５０は、収容物排出装置１０をユーザが利用した際に、店舗ＩＤおよび装置ＩＤを取得して履歴として記憶することができるため、ユーザによって利用された店舗、およびユーザによって利用された収容物排出装置１０を特定することができる。これにより、収容物排出装置１０が設置された店舗の運営会社は、取得したこれらの情報をマーケティングなどに活用することができる。
【００９２】
＜変形例＞
本発明は、上記の実施例に限られず、さらに種々の変形、応用が可能である。以下、本発明に適用可能な変形例について説明する。
【００９３】
本実施の形態においては、サーバ５０がログイン時のユーザ認証を行っていたが、携帯端末３０がログイン時のユーザ認証を行ってもよい。すなわち、携帯端末３０は、図４のＳ３１２の処理でユーザＩＤおよびパスワードをサーバ５０に送信することなく、Ｓ３１３の処理で携帯端末３０自身でユーザ認証を行ってもよい。この際、携帯端末３０は、Ｓ３１８の処理で店舗ＩＤおよび装置ＩＤとともに、ユーザＩＤおよびパスワードをサーバ５０に送信してもよい。
【００９４】
本実施の形態においては、ユーザは、携帯端末３０でコード２０ａを読み取って取得した解除情報を収容物排出装置１０に入力するだけで収容物１１を排出させることができた。つまり、本実施の形態に係る収容物排出装置１０は、無料でカプセル型の収容物を排出する販促用のカプセル排出機であった。しかしながら、収容物排出装置１０は、販促用のカプセル排出機に限らず、カプセル型の収容物の販売を目的とするカプセル販売機であってもよい。具体的には、ユーザは、携帯端末３０によって電子マネーまたはクレジットで決済しなければ、コード２０ａを読み取るためのコード認証画面３１ａを液晶ディスプレイ３１に表示させることができないものであってもよい。もしくは、ユーザは、携帯端末３０によって電子マネーまたはクレジットで決済しなければ、コード２０ａを読み取ったとしても解除情報を取得することができないものであってもよい。
【００９５】
本実施の形態においては、所定期間ごとに解除情報が更新されたが、所定条件が成立したときに解除情報が更新されてもよい。たとえば、収容物排出装置１０に先の正しい解除情報が入力されたことを条件に、次の解除情報に更新されてもよい。
【００９６】
本実施の形態においては、収容物排出装置１０の解除装置２０が備えるキー部２１で解除情報を入力するものであったが、収容物排出装置１０が図示しないマイクロフォンを備え、ユーザがマイクロフォンを用いて音声で解除情報を入力するものであってもよい。また、携帯端末３０の液晶ディスプレイ３１に表示された解除情報を、収容物排出装置１０がスキャンによって読み込むものであってもよい。
【００９７】
今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。なお、本実施の形態で例示された構成および変形例で例示された構成は、適宜組み合わせることができる。
【符号の説明】
【００９８】
１  排出許可システム、１０  収容物排出装置、１１  収容物、１２  筐体、１３  収納ケース、１４  蓋、１５  回転ハンドル、１７  取出口、２０  解除装置、２０ａ  コード、２１  キー部、２１ａ  テンキー、２１ｂ  取消キー、２１ｃ  確定キー、２２  ディスプレイ、３０  携帯端末、３１  液晶ディスプレイ、３１ａ  コード認証画面、３１ｂ  数字画像、５０  サーバ、１０１  排出制御部、１０２，３０２  操作部、１０３，３０３  表示部、１０４  排出部、１０６，３０６，５０６  記憶部、１０７  コード作成部、１０９，３０９，５０９  通信ライン、３０１，５０１  制御部、３０４  読取部、３０５，５０５  通信部。
【図１】
2020000613.tif 000003
【図２】
2020000613.tif 000004
【図３】
2020000613.tif 000005
【図４】
2020000613.tif 000006
【図５】
2020000613.tif 000007